(57)【特許請求の範囲】
【請求項１】
入力される電気信号に対して遅延を与える縦続接続された複数の遅延部と、これら複数の遅延部それぞれから出力される電気信号の値に対しタップ係数を乗じて当該乗算後の電気信号を出力する複数の乗算部と、これら複数の乗算部それぞれから出力される電気信号の値の総和を求め当該総和値を表す電気信号を出力する総和部とを含み、入力される電気信号に対して分散等化処理をして当該処理後の電気信号を前記総和部から出力する分散等化部を用いて、分散等化処理をする方法であって、
クロック周期(ｋＴ)の電気信号が前記分散等化部に入力されるときに適応等化処理を行って前記タップ係数を調整する第１ステップと、
この第１ステップにおける調整により得られた前記タップ係数の値を初期値として、クロック周期Ｔの電気信号が前記分散等化部に入力されるときに適応等化処理を行って前記タップ係数を調整する第２ステップと、
を備えることを特徴とする分散等化方法（ただし、ｋは２以上の整数）。
【請求項２】
入力される電気信号に対して遅延を与える縦続接続された複数の遅延部と、これら複数の遅延部それぞれから出力される電気信号の値に対しタップ係数を乗じて当該乗算後の電気信号を出力する複数の乗算部と、これら複数の乗算部それぞれから出力される電気信号の値の総和を求め当該総和値を表す電気信号を出力する総和部とを含み、入力される電気信号に対して分散等化処理をして当該処理後の電気信号を前記総和部から出力する分散等化部と、
クロック周期(ｋＴ)の電気信号が前記分散等化部に入力されるときに適応等化処理を行って前記タップ係数を調整し、この調整により得られた前記タップ係数の値を初期値として、クロック周期Ｔの電気信号が前記分散等化部に入力されるときに適応等化処理を行って前記タップ係数を調整する制御部と、
を備えることを特徴とする分散等化装置（ただし、ｋは２以上の整数）。
【請求項３】
入力される電気信号に基づいて光信号を生成して出力する発光部を含む送信部と、
入力される光信号に基づいて電気信号を生成して出力する受光部と、この受光部から出力される電気信号に対して分散等化処理をして当該処理後の電気信号を出力する分散等化部と、を含む受信部と、
前記分散等化部を制御する制御部と、
を備え、
前記分散等化部が、入力される電気信号に対して遅延を与える縦続接続された複数の遅延部と、これら複数の遅延部それぞれから出力される電気信号の値に対しタップ係数を乗じて当該乗算後の電気信号を出力する複数の乗算部と、これら複数の乗算部それぞれから出力される電気信号の値の総和を求め当該総和値を表す電気信号を出力する総和部とを含み、入力される電気信号に対して分散等化処理をして当該処理後の電気信号を前記総和部から出力し、
前記制御部が、クロック周期(ｋＴ)の電気信号が前記分散等化部に入力されるときに適応等化処理を行って前記タップ係数を調整し、この調整により得られた前記タップ係数の値を初期値として、クロック周期Ｔの電気信号が前記分散等化部に入力されるときに適応等化処理を行って前記タップ係数を調整する、
ことを特徴とする光トランシーバ（ただし、ｋは２以上の整数）。
【発明の詳細な説明】
【技術分野】
【０００１】
本発明は、光信号を送受信する光トランシーバ、ならびに、この光トランシーバにおいて好適に用いられ得る分散等化方法および分散等化装置に関するものである。
【背景技術】
【０００２】
光通信システムは、送信部から送出された光信号を光ファイバ伝送路により伝送させ受信部により受信するものであり、大容量の情報を高速に送受信することができる。また、光通信システムでは、送信部および受信部を備える光トランシーバが用いられる。
【０００３】
例えば数ｋｍ以下の比較的短距離であって例えば数百Ｍｂｐｓ以下の比較的低速の光通信システムでは、光ファイバ伝送路としてマルチモード光ファイバが用いられ、送信部に含まれる発光部として発光ダイオードが用いられる。一方、長距離で高速の光通信システムでは、光ファイバ伝送路としてシングルモード光ファイバが用いられ、送信部に含まれる発光部としてレーザダイオードが用いられる。また、受信部に含まれる受光部としてフォトダイオードが用いられる。
【０００４】
実際、伝送速度１２５Ｍｂｐｓで伝送距離２ｋｍの場合の光通信規格を定めた国際標準ＦＤＤＩでは、光ファイバ伝送路としてマルチモード光ファイバの一種であるコア径６２.５μｍのグレイデッドインデックス型光ファイバが採用されている。また、６２２Ｍｂｐｓ，２.５Ｇｂｐｓおよび１０Ｇｂｐｓのように更に高速な伝送を行う国際標準ＳＤＨや、１Ｇｂｐｓ以上のイーサネット（登録商標）規格では、光ファイバ伝送路としてシングルモード光ファイバが採用され、送信部に含まれる発光部としてレーザダイオードが採用されている。
【０００５】
ところで、伝送されるべきデータ量の増大に伴い、低速通信用途として既に敷設されているマルチモード光ファイバを、レーザダイオードを用いた高速通信でも活用することができないかが検討されはじめている。マルチモード光ファイバは、コア径が大きいので、発光部から多くの光をコア内に取り込みやすく、光源とコアとの結合が容易で、少々軸ずれしても大きなロスが出ないことからコネクタ製造も容易であるで、低コストという利点がある。その一方で、マルチモード光ファイバは、コア内を多くのモードの光が伝送し、各モードのファイバ内伝播遅延時間が異なるので、光波形が歪みやすく、高速信号伝送が困難という欠点がある。
【０００６】
そこで、マルチモード光ファイバ内のモード間の伝搬遅延時間を補正するために、受信部において、光信号から電気信号へ変換した後、その電気信号に対して分散等化部により分散等化処理をする技術が知られている（非特許文献１，２を参照）。この分散等化部は、電気のデジタルフィルタである。このような分散等化部を採用することで、１０Ｇｂｐｓの高速伝送を実現することができるとされている。なお、分散等化は分散補償と呼ばれる場合もある。
【０００７】
ＩＥＥＥでは、この１０Ｇｂｐｓの高速伝送の規格を10GBASE-LRMと定め、その仕様値をIEEE 802.3aqに記載している（非特許文献３を参照）。IEEE 802.3aqでは、最悪マルチモードファイバとして３種類のインパルス応答を想定し、それらをpre-cursor, symmetric, post-cursorと呼んでいる。例えば、pre-cursorでは、光ファイバ中のモードを４つであると仮定し、それぞれの遅延時間差および振幅の比率を（0ps, 0.158）、（73ps, 0.176）、（145ps,0.499）、（218ps, 0.167）としている。
【非特許文献１】Jack H. Winters, Richard D. Gitlin,“Electrical Signal Processing Techniques in Long-Haul Fiber-Optic System”, IEEETransactions on Communications, 1990, vol.38, No.9, pp.1439-1453.
【非特許文献２】P. Pepeljugoski, J. Schaub, J. Tierno, J.Kash, S. Gowda, B. Wilson, H. Wu, A. hajimiri, ”Improved Performance of 10 Gb/sMultimode Fiber Optic Links Using Equalization”, Technical Digest of OpticalFiber Conference, 2003, ThG4.
【非特許文献３】IEEE Draft P802.3aqTM/D4.0
【発明の開示】
【発明が解決しようとする課題】
【０００８】
ところで、非特許文献１，２に記載されたような分散等化技術を採用する光トランシーバでは、１０Ｇｂｐｓの高速伝送を実現することができるとされているものの、更に高速の伝送に対しては分散等化処理をすることが困難である。
【０００９】
本発明は、上記問題点を解消する為になされたものであり、より高速の伝送に対しても分散等化処理をすることが可能な分散等化方法，分散等化装置および光トランシーバを提供することを目的とする。
【課題を解決するための手段】
【００１０】
本発明に係る分散等化方法は、分散等化部を用いて分散等化処理をする方法である。その分散等化部は、入力される電気信号に対して遅延を与える縦続接続された複数の遅延部と、これら複数の遅延部それぞれから出力される電気信号の値に対しタップ係数を乗じて当該乗算後の電気信号を出力する複数の乗算部と、これら複数の乗算部それぞれから出力される電気信号の値の総和を求め当該総和値を表す電気信号を出力する総和部とを含み、入力される電気信号に対して分散等化処理をして当該処理後の電気信号を総和部から出力するものである。そして、本発明に係る分散等化方法は、(1) クロック周期(ｋＴ)の電気信号が分散等化部に入力されるときに適応等化処理を行ってタップ係数を調整する第１ステップと、(2) この第１ステップにおける調整により得られたタップ係数の値を初期値として、クロック周期Ｔの電気信号が分散等化部に入力されるときに適応等化処理を行ってタップ係数を調整する第２ステップと、を備えることを特徴とする。ただし、ｋは２以上の整数である。
【００１１】
本発明に係る分散等化装置は、(1) 入力される電気信号に対して遅延を与える縦続接続された複数の遅延部と、これら複数の遅延部それぞれから出力される電気信号の値に対しタップ係数を乗じて当該乗算後の電気信号を出力する複数の乗算部と、これら複数の乗算部それぞれから出力される電気信号の値の総和を求め当該総和値を表す電気信号を出力する総和部とを含み、入力される電気信号に対して分散等化処理をして当該処理後の電気信号を総和部から出力する分散等化部と、(2) クロック周期(ｋＴ)の電気信号が分散等化部に入力されるときに適応等化処理を行ってタップ係数を調整し、この調整により得られたタップ係数の値を初期値として、クロック周期Ｔの電気信号が分散等化部に入力されるときに適応等化処理を行ってタップ係数を調整する制御部と、を備えることを特徴とする。ただし、ｋは２以上の整数である。
【００１２】
本発明に係る光トランシーバは、(1) 入力される電気信号に基づいて光信号を生成して出力する発光部を含む送信部と、(2) 入力される光信号に基づいて電気信号を生成して出力する受光部と、この受光部から出力される電気信号に対して分散等化処理をして当該処理後の電気信号を出力する分散等化部と、を含む受信部と、(3) 分散等化部を制御する制御部と、を備えることを特徴とする。更に、本発明に係る光トランシーバでは、(a) 分散等化部が、入力される電気信号に対して遅延を与える縦続接続された複数の遅延部と、これら複数の遅延部それぞれから出力される電気信号の値に対しタップ係数を乗じて当該乗算後の電気信号を出力する複数の乗算部と、これら複数の乗算部それぞれから出力される電気信号の値の総和を求め当該総和値を表す電気信号を出力する総和部とを含み、入力される電気信号に対して分散等化処理をして当該処理後の電気信号を総和部から出力し、(b) 制御部が、クロック周期(ｋＴ)の電気信号が分散等化部に入力されるときに適応等化処理を行ってタップ係数を調整し、この調整により得られたタップ係数の値を初期値として、クロック周期Ｔの電気信号が分散等化部に入力されるときに適応等化処理を行ってタップ係数を調整する、ことを特徴とする。ただし、ｋは２以上の整数である。
【００１３】
本発明によれば、クロック周期(ｋＴ)の電気信号が分散等化部に入力されるときに適応等化処理が行われてタップ係数が調整される。その後、この調整により得られたタップ係数の値が初期値とされて、クロック周期Ｔの電気信号が分散等化部に入力されるときに適応等化処理が行われてタップ係数が調整される。このようにすることで、より高速の伝送に対しても分散等化処理をすることが可能となる。
【発明の効果】
【００１４】
本発明によれば、より高速の伝送に対しても分散等化処理をすることが可能となる。
【発明を実施するための最良の形態】
【００１５】
以下、添付図面を参照して、本発明を実施するための最良の形態を詳細に説明する。なお、図面の説明において同一の要素には同一の符号を付し、重複する説明を省略する。
【００１６】
図１は、本実施形態に係る光トランシーバ１の構成図である。この図に示される光トランシーバ１は、10GBASE-LRMを実現し得るものであり、送信部１０，受信部２０および制御部３０を備える。
【００１７】
送信部１０は、ＣＤＲ部１１，ＬＤＤ部１２およびレーザダイオード１３を含む。ＣＤＲ（clock data recovery）部１１は、電気信号を入力し、その電気信号のデータを復元して、データ復元後の電気信号をＬＤＤ部１２へ出力する。ＬＤＤ（laser-diode driver）部１２は、ＣＤＲ部１１から出力される電気信号を入力し、その入力した電気信号に基づいてレーザダイオード１３を駆動するための電気信号を生成して、その生成した電気信号をレーザダイオード１３へ出力する。また、レーザダイオード１３は、発光部として作用するものであり、ＬＤＤ部１２から出力される電気信号を入力し、その電気信号に基づいて光信号を生成して、その光信号を出力する。
【００１８】
受信部２０は、フォトダイオード２１，ＴＩＡ部２２，分散等化部２３およびＣＤＲ部２４を含む。フォトダイオード２１は、受光部として作用するものであり、光信号を入力し、その光信号に基づいて電気信号を生成して、その生成した電気信号をＴＩＡ部２２へ出力する。ＴＩＡ（trans-impedance amplifier）部２２は、フォトダイオード２１から出力される電気信号を電流として入力し、この入力した電気信号を電圧としての電気信号に変換して、この変換後の電気信号を分散等化部２３へ出力する。分散等化部２３は、ＴＩＡ部２２から出力される電気信号を入力し、その電気信号に対して分散等化処理をして、当該処理後の電気信号をＣＤＲ部２４へ出力する。また、ＣＤＲ部２４は、分散等化部２３から出力される電気信号を入力し、その電気信号のデータを復元して、データ復元後の電気信号を出力する。制御部３０は分散等化部２３を制御する。この詳細については後述する。
【００１９】
このように構成される１対の第１光トランシーバおよび第２光トランシーバが用いられて、第１トランシーバのレーザダイオード１３と第２トランシーバのフォトダイオード２１とは光ファイバにより互いに光学的に接続される。また、第２トランシーバのレーザダイオード１３と第１トランシーバのフォトダイオード２１とは光ファイバにより互いに光学的に接続される。これにより、第１光トランシーバと第２光トランシーバとの間で光通信が行われる。
【００２０】
この光トランシーバ１の概略動作は以下のとおりである。光トランシーバ１では、ＣＤＲ部１１に入力される電気信号はＣＤＲ部１１によりデータが復元されて、そのデータ復元後の電気信号がＣＤＲ部１１から出力されＬＤＤ部１２に入力される。ＬＤＤ部１２では、ＣＤＲ部１１から出力される電気信号に基づいてレーザダイオード１３を駆動するための電気信号が生成されて、その生成された電気信号がレーザダイオード１３へ出力される。そして、レーザダイオード１３では、ＬＤＤ部１２から出力される電気信号が入力され、その電気信号に基づいて光信号が生成されて、その光信号が光ファイバへ出力される。光トランシーバ１のレーザダイオード１３から出力された光信号は、該光ファイバにより伝送されて、他方の光トランシーバのフォトダイオード２１へ入力される。
【００２１】
また、光トランシーバ１では、他方の光トランシーバから光ファイバにより伝送されて到達した光信号がフォトダイオード２１により受光され、そのフォトダイオード２１により、その光信号に基づいて電気信号が生成されて、その生成した電気信号がＴＩＡ部２２へ出力される。ＴＩＡ部２２では、フォトダイオード２１から出力される電気信号が電流として入力され、この入力した電気信号が電圧としての電気信号に変換されて、この変換後の電気信号が分散等化部２３へ出力される。分散等化部２３では、ＴＩＡ部２２から出力される電気信号が入力され、その電気信号に対して分散等化処理がなされて、当該処理後の電気信号がＣＤＲ部２４へ出力される。そして、ＣＤＲ部２４では、分散等化部２３から出力される電気信号が入力され、その電気信号のデータが復元されて、データ復元後の電気信号が出力される。
【００２２】
図２は、本実施形態に係る光トランシーバ１に含まれる分散等化部２３の構成を示す図である。光トランシーバ１に含まれる分散等化部２３は、Ｍ個の遅延部５１１〜５１Ｍ、(Ｎ＋１)個の遅延部５２０〜５２Ｎ、(Ｍ＋１)個の乗算部５３０〜５３Ｍ、(Ｎ＋１)個の乗算部５４０〜５４Ｎ、総和部５５、サンプラ部５６、スライサ部５７、減算部５８およびタップ係数制御部５９を含む。ここで、Ｍ，Ｎは１以上の整数である。また、以下に登場するｍは１以上Ｍ以下の各整数であり、ｎは０以上Ｎ以下の各整数である。
【００２３】
Ｍ個の遅延部５１１〜５１Ｍは、この順に縦続接続されており、入力される電気信号に対して時間Ｔだけ遅延を与えて出力する。(Ｎ＋１)個の遅延部５２０〜５２Ｎも、この順に縦続接続されており、スライサ部５７から入力される電気信号に対して時間Ｔだけ遅延を与えて出力する。なお、時間Ｔは、ＣＤＲ部１１により電気信号が復元される際に得られるクロック信号の周期である。
【００２４】
乗算部５３０は、入力される電気信号にタップ係数ｃ０を乗じて、当該乗算後の電気信号を総和部５５へ出力する。乗算部５３ｍは、遅延部５１ｍから出力される電気信号にタップ係数ｃｍを乗じて、当該乗算後の電気信号を総和部５５へ出力する。乗算部５４ｎは、遅延部５２ｎから出力される電気信号にタップ係数ｄｎを乗じて、当該乗算後の電気信号を総和部５５へ出力する。総和部５５は、(Ｍ＋１)個の乗算部５３０〜５３Ｍおよび(Ｎ＋１)個の乗算部５４０〜５４Ｎそれぞれから出力される電気信号の値の総和を求め、当該総和値を表す電気信号を出力する。
【００２５】
サンプラ部５６は、総和部５５から出力される電気信号を入力し、その入力した電気信号を時間Ｔ毎にサンプリングしホールドして、そのホールドした電気信号をスライサ部５７へ出力する。スライサ部５７は、サンプラ部５６から出力される電気信号を入力し、その入力した電気信号の値と所定の閾値とを大小比較して、その比較結果を表す値を有する電気信号を遅延部５２０へ出力する。減算部５８は、サンプラ部５６から出力される電気信号を入力するとともに、スライサ部５７から出力される電気信号を入力して、これら２つの電気信号の値の差を誤差信号としてタップ係数制御部５９へ出力する。タップ係数制御部５９は、減算部５８から出力される誤差信号を入力して、この誤差信号の絶対値が小さくなるようにタップ係数ｃ０〜ｃＭ，ｄ０〜ｄＮを制御する。
【００２６】
このように構成される分散等化部２３において、遅延部５１１〜５１Ｍ，乗算部５３０〜５３Ｍおよび総和部５５は、フィードフォワード等化部を構成している。また、遅延部５２０〜５２Ｎ，乗算部５４０〜５４Ｎ，総和部５５，サンプラ部５６およびスライサ部５７は、フィードバック等化部を構成している。なお、分散等化部２３は、構成を簡略化する場合には、フィードフォワード等化部のみを有する構成としてもよい。
【００２７】
この分散等化部２３は、タップ係数ｃ０〜ｃＭ，ｄ０〜ｄＮそれぞれが適切な値に設定されることにより、入力される電気信号に対して分散等化処理をして、当該処理後の電気信号を出力することができる。分散等化部２３における分散等化処理の特性は、タップ係数ｃ０〜ｃＭ，ｄ０〜ｄＮそれぞれの値により決定される。
【００２８】
この分散等化部２３は、減算部５８から出力される誤差信号の絶対値が小さくなるようにタップ係数ｃ０〜ｃＭ，ｄ０〜ｄＮをタップ係数制御部５９により制御することができるので、入力される電気信号の波形歪が変動する場合にも、その電気信号に対して適切な分散等化処理をすることができる。
【００２９】
通常、分散等化部２３のタップ係数の初期値として、タップ係数ｃ０〜ｃＭのうち何れか１つのタップ係数のみが値１とされる一方で他のタップ係数が値０とされ、また、タップ係数ｄ０〜ｄＮが値０とされる。その後、フォトダイオード２１に光信号が入力されて分散等化部２３に電気信号が入力されると、分散等化部２３では、その入力される電気信号に応じて、最適となるようタップ係数ｃ０〜ｃＭ，ｄ０〜ｄＮが更新される。また、フォトダイオード２１に至るまでの光ファイバ伝送路の特性が予め分かっており最適なタップ係数が既知であれば、これを初期値としてもよいが、光ファイバ伝送路として敷設済みのマルチモード光ファイバを利用する場合は、実際に伝送するまで、その特性が不明であるので、適切なタップ係数を初期値として設定することは困難である。
【００３０】
図１に示される構成の光トランシーバ１を用いて２０Ｇｂｐｓの高速伝送を行うことが検討されている。しかしながら、非特許文献３で規定されているpre-cursor型のモード分散の光ファイバを用いて伝送する場合、光ファイバの伝送帯域が２.７ＧＨｚしかないので、１０Ｇｂｐｓ信号伝送時に比べて、２０Ｇｂｐｓの信号に対しては更に波形の劣化が大きい。
【００３１】
図３は、本実施形態に係る光トランシーバ１に含まれるＴＩＡ部２２から出力される電気信号の波形を示す図である。ここでは、pre-cursor型のモード分散が発生したときの電気信号のアイパターンを示す。同図（ａ）は１０Ｇｂｐｓ信号に対する電気信号の波形を示し、同図（ｂ）は２０Ｇｂｐｓ信号に対する電気信号の波形を示す。１０Ｇｂｐｓ信号に対しては僅かにアイが開いているが、２０Ｇｂｐｓ信号の歪は大きい。したがって、２０Ｇｂｐｓ信号伝送の場合、分散等化部２３のタップ係数の初期値を、従来と同様に、タップ係数ｃ０〜ｃＭのうち何れか１つのタップ係数のみを値１とする一方で他のタップ係数を値０とし、また、タップ係数ｄ０〜ｄＮを値０とすると、分散等化部２３により波形を回復することは困難である。
【００３２】
図４は、本実施形態に係る光トランシーバ１に含まれる分散等化部２３から出力される電気信号の波形を示す図である。ここでは、乗算部５３０〜５３Ｍの個数が７（Ｍ値が６）であるとし、乗算部５４０〜５４Ｎの個数が３（Ｎ値が２）であるとする。分散等化部２３のタップ係数の初期値を、従来と同様に、タップ係数ｃ０〜ｃ６のうち何れか１つのタップ係数のみを値１とする一方で他のタップ係数を値０とし、また、タップ係数ｄ０〜ｄ２を値０として、その後に適応等化処理を行った結果を示す。同図（ａ）は１０Ｇｂｐｓ信号に対する電気信号の波形を示し、同図（ｂ）は２０Ｇｂｐｓ信号に対する電気信号の波形を示す。１０Ｇｂｐｓ信号伝送時には分散等化部２３により波形を回復することができるのに対して、２０Ｇｂｐｓ信号伝送時には分散等化部２３の出力波形の劣化が大きい。すなわち、２０Ｇｂｐｓ信号では分散等化部２３へ入力される電気信号の波形の歪が大きすぎるので、タップ係数の初期値を従来のように設定する場合には、波形を回復し得るタップ係数を求めることができない。
【００３３】
そこで、本実施形態では、分散等化部２３のタップ係数の初期値を設定する方法を改良することで、より高速な信号においても分散等化部２３が適応等化処理を行うことができるようにする。すなわち、本実施形態に係る光トランシーバ１では、制御部３０は、クロック周期(ｋＴ)の電気信号が分散等化部２３に入力されるときに適応等化処理を行ってタップ係数を調整し、この調整により得られたタップ係数の値を初期値として、クロック周期Ｔの電気信号が分散等化部２３に入力されるときに適応等化処理を行ってタップ係数を調整する。ただし、ｋは２以上の整数である。
【００３４】
また、本実施形態に係る分散等化装置は、上記のような分散等化部２３および制御部３０を備えるものである。本実施形態に係る分散等化方法は、分散等化部２３に対して制御部３０が行う上記のような方法であって、クロック周期(ｋＴ)の電気信号が分散等化部２３に入力されるときに適応等化処理を行ってタップ係数を調整する第１ステップと、この第１ステップにおける調整により得られたタップ係数の値を初期値として、クロック周期Ｔの電気信号が分散等化部２３に入力されるときに適応等化処理を行ってタップ係数を調整する第２ステップと、を備える方法である。
【００３５】
以下では、ｋ値を２として説明する。図５は、本実施形態に係る光トランシーバ１における分散等化方法を説明するフローチャートである。ステップＳ１では、タップ係数ｃ０〜ｃＭのうち奇数番目の係数、及び、タップ係数ｄ０〜ｄＮのうち偶数番目の係数を、常に値０とする。ステップＳ２では、初期値として、タップ係数ｃ０〜ｃＭのうち遇数番目の係数の何れか１つを値１として他を値０とし、タップ係数ｄ０〜ｄＮのうち奇数番目の係数を値０とする。ステップＳ３では、２ビット連続する信号（例えば、1100111100の信号）を送信して、本来の伝送速度の半分の伝送速度（本来のクロック周期の２倍のクロック周期）の電気信号を分散等化部２３に入力させる。そして、ステップＳ４では、適応等化処理を行ってタップ係数を収束させる。次にステップＳ５では、ステップＳ４で収束したタップ係数の値を初期値とする。そして、ステップＳ６で、本来の伝送速度の信号を送信して、ステップＳ７で、適応等化処理を行って全てのタップ係数を更新する。
【００３６】
例えば、乗算部５３０〜５３Ｍの個数が７（Ｍ値が６）であるとし、乗算部５４０〜５４Ｎの個数が３（Ｎ値が２）であるとする。ステップＳ１でタップ係数ｃ１，ｃ３，ｃ５，ｄ０，ｄ２それぞれを値０とし、ステップＳ２でタップ係数ｃ０を値１とし、ステップＳ３でpre-cursor型のモード分散が発生したとして１０Ｇｂｐｓ信号を入力させて、ステップＳ４で適応等化処理を行ってタップ係数ｃ０，ｃ２，ｃ４，ｃ６，ｄ１それぞれの値を収束させる。ステップＳ４で得られるタップ係数の収束値は、ｃ０＝0.2909，ｃ２＝-1.386，ｃ４＝2.7118，ｃ６＝-0.0247，ｄ１＝-0.4053 となる。このときの分散等化部２３の出力波形は、図４（ａ）に示されるものと同様にアイが開いている。
【００３７】
続くステップＳ５では、ステップＳ４で収束したタップ係数の値を初期値とする。すなわち、初期値として、ｃ０＝0.2909，ｃ２＝-1.386，ｃ４＝2.7118，ｃ６＝-0.0247，ｄ１＝-0.4053 とし、また、ｃ１＝ｃ３＝ｃ５＝ｄ０＝ｄ２＝0 とする。そして、ステップＳ６で、本来の伝送速度２０Ｇｂｐｓの信号を送信して、ステップＳ７で、適応等化処理を行って全てのタップ係数ｃ０〜ｃ６，ｄ０〜ｄ２を更新する。
【００３８】
ステップＳ５で設定したタップ係数の初期値を用いても、本来の伝送速度２０Ｇｂｐｓの信号ではアイはつぶれている。しかしながら、タップ係数の初期値の一つのみを値１とした場合より歪は小さくなるので、ステップＳ７では効果的に分散等化部２３の適応等化処理が行われえる。図６は、本実施形態に係る光トランシーバ１における分散等化方法により等化されて分散等化部２３から出力された電気信号の波形を示す図である。図４（ｂ）では波形が回復しないのに対して、本実施形態に係る分散等化方法により等化された電気信号は、図６に示されるように十分にアイが開いている。
【００３９】
本実施形態に係る分散等化方法の効果は以下のように説明され得る。図７は、本実施形態に係る分散等化方法の効果を説明する周波数特性図である。ここでは、pre-cursor型のモード分散を発生させるマルチモード光ファイバと、ベッセルトムソンフィルタで近似した１５ＧＨｚ（＝20×0.75）の帯域を持つ受信部とを想定する。これらマルチモード光ファイバおよび受信部を併せた応答特性は、図中の周波数特性曲線Ａで示されており、３ｄＢ帯域（−３ｄＢとなる周波数）が２ＧＨｚ程度である。
【００４０】
本来の伝送速度の半分（すなわち、１０Ｇｂｐｓ）で分散等化部２３を動作させた場合、マルチモード光ファイバ，受信部および分散等化部２３の全体の応答特性は、図中の周波数特性曲線Ｂで示されており、３ｄＢ帯域が７.５ＧＨｚ程度まで延びる。したがって、伝送帯域が２ＧＨｚしかない状態で２０Ｇｐｂｓ信号に対し分散等化部２３を動作させるのに対し、伝送帯域が７.５ＧＨｚである状態で２０Ｇｂｐｓ信号に対し分散等化部２３を動作させるほうが、タップ係数は収束しやすく、結果として図６に示されるようにアイが開く。図中の周波数特性曲線Ｃは、本来の伝送速度２０Ｇｂｐｓで分散等化部２３を動作させた場合の、マルチモード光ファイバ，受信部および分散等化部２３の全体の応答特性を示す。
【００４１】
このように、本実施形態によれば、より高速な伝送信号に対しても、分散等化部２３においてタップ係数が正常に収束し、アイパターンを改善することが可能である。
【図面の簡単な説明】
【００４２】
【図１】本実施形態に係る光トランシーバ１の構成図である。
【図２】本実施形態に係る光トランシーバ１に含まれる分散等化部２３の構成を示す図である。
【図３】本実施形態に係る光トランシーバ１に含まれるＴＩＡ部２２から出力される電気信号の波形を示す図である。
【図４】本実施形態に係る光トランシーバ１に含まれる分散等化部２３から出力される電気信号の波形を示す図である。
【図５】本実施形態に係る光トランシーバ１における分散等化方法を説明するフローチャートである。
【図６】本実施形態に係る光トランシーバ１における分散等化方法により等化されて分散等化部２３から出力された電気信号の波形を示す図である。
【図７】本実施形態に係る分散等化方法の効果を説明する周波数特性図である。
【符号の説明】
【００４３】
１…光トランシーバ、１０…送信部、１１…ＣＤＲ部、１２…ＬＤＤ部、１３…レーザダイオード、２０…受信部、２１…フォトダイオード、２２…ＴＩＡ部、２３…分散等化部、２４…ＣＤＲ部、３０…制御部、５１１〜５１Ｍ…遅延部、５２０〜５２Ｎ…遅延部、５３０〜５３Ｍ…乗算部、５４０〜５４Ｎ…乗算部、５５…総和部、５６…サンプラ部、５７…スライサ部、５８…減算部、５９…タップ係数制御部。
【図１】
0004924276.tif 000002
【図２】
0004924276.tif 000003
【図３】
0004924276.tif 000004
【図４】
0004924276.tif 000005
【図５】
0004924276.tif 000006
【図６】
0004924276.tif 000007
【図７】
0004924276.tif 000008